(57)【要約】      （修正有）【課題】瞬きした際の人物画像やブレの生じた不鮮明な画像等の不良な撮影記録を回避することのできる撮影画像記録装置を提供する。【解決手段】所定のマークが顔画像の両目に合致したならば、両目合わせスイッチの操作をやめる。この後、シャッタスイッチを操作すると、ステップＳ８の処理が実行され、今回画像ＲＡＭに取り込まれた撮影画像（現在画像）と既に画像ＲＡＭに順次例えば１秒間に５枚ずつ取り込まれている撮影画像（過去画像１、２・・・ｎ）とを所定もマークの領域において比較する。しかる後に、現在画像、過去画像が設定時間（瞬きを行うに要する時間）以上、変化しない画像を瞬きを行っていない被写体画像として登録ＲＡＭに記録して表示する（ステップＳ９）。【選択図】図６
2011109696.tif 000002
【特許請求の範囲】
【請求項１】
被写体を撮影する画像撮影手段と、この画像撮影手段により撮影された被写体の被写体画像を記録可能な撮影画像記録手段と、前記画像撮影手段により撮影される被写体画像が目を瞑った状態にある画像であるか否かを検出する検出手段と、この検出手段により、前記被写体画像が目を瞑っていない状態にある画像と検出された場合に、当該目を瞑っていない状態にある画像を被写体画像として前記撮影画像記録手段に記録させる画像記録制御手段と、を備えることを特徴とする撮影画像記録装置。
【請求項２】
前記検出手段は、前記画像撮影手段により順次撮影される被写体画像における目の周囲の部分画像を比較することにより、前記被写体画像が目を瞑った状態にある画像であるか否かを検出することを特徴とする請求項１記載の撮影画像記録装置。
【請求項３】
腕に装着可能なリスト装置本体と、このリスト装置本体に設けられ被写体を撮影するカメラ部とを備えた撮影画像記録装置において、前記リスト装置本体の少なくとも２つの箇所に、中指用の位置決め部と、親指又は人差し指のいずれか一方の指用の位置決め部を設けるとともに、親指又は人差し指のいずれか他方の指で操作される撮影開始用のシャッタスイッチ部を設けたことを特徴とする撮影画像記録装置。
【請求項４】
前記カメラ部を、前記リスト装置本体に対し上下方向に回動可能に設けたことを特徴とする請求項３記載の撮影画像記録装置。
【請求項５】
前記リスト装置本体は回転自在な回転ベゼルを備え、この回転ベゼルの回転に伴って前記カメラ部を上下方向に回動する駆動機構を設けたことを特徴とする請求項４記載の撮影画像記録装置。
【請求項６】
被写体を撮影する画像撮影手段と、画像を記録可能な撮影画像記録手段と、前記画像撮影手段により撮影された被写体画像のうち、目の周辺領域における現在撮影された画像と過去に撮影された画像とを比較し、この比較結果に基づいて、目を瞑っていない状態にある画像を検出しこの検出された画像を被写体画像として前記撮影画像記録手段に記録させる画像記録制御手段と、を備えることを特徴とする撮影画像記録装置。
【請求項７】
腕に装着されるリスト装置本体に設けられたカメラ部にて被写体を撮影しこの撮影された被写体に対応した被写体画像を記録する撮影画像記録装置において、前記リスト装置本体は、撮影者の中指が係止されて当該中指を位置決めるための第１の位置決め部と、親指又は人差し指のいずれか一方の指が係止されて当該親指又は人差し指を位置決めるための第２の位置決め部とを備えており、これら第１および第２の各位置決め部以外の他の部位に、前記第２の位置決め部にて位置決めされている親指又は人差し指のいずれか他方の指で操作される撮影開始用のシャッタスイッチ部を備えていることを特徴とする撮影画像記録装置。
【請求項８】
前記リスト装置本体は、撮影者の腕に装着されるバンドを備えた腕時計本体であり、前記第１の位置決め部は、撮影者の腕に装着された前記バンドのうち、撮影者側に位置するバンド部裏面に形成されており、前記第２の位置決め部は、前記腕時計本体の７時または８時の位置に形成されており、前記撮影開始用のシャッタスイッチ部は、前記腕時計本体の１時または２時の位置に形成されていることを特徴とする請求項７記載の撮影画像記録装置。
【請求項９】
腕に装着されるリスト装置本体に設けられたカメラ部にて被写体を撮影しこの撮影された被写体に対応した被写体画像を記録する撮影画像記録装置において、前記リスト装置本体に対し前記カメラ部を上下方向に回動可能に設けたことを特徴とする撮影画像記録装置。
【請求項１０】
前記リスト装置本体は、回転自在な回転ベゼルと、この回転ベゼルの回転に伴って前記カメラ部を上下方向に回動する駆動機構とを設けたことを特徴とする請求項９記載の撮影画像記録装置。
【発明の詳細な説明】
【技術分野】
【０００１】
本発明は、被写体画像を撮影して記録する撮影画像記録装置に関する。
【背景技術】
【０００２】
従来の撮影画像記録装置としては、本件出願人に係る特許第２６１０３８０号公報に開示されたものが知られている。この撮影画像記録装置は、ユーザの腕に装着して使用される腕時計タイプであって、撮影時に操作されるシャッタスイッチ、外部の被写体を撮影するＣＣＤ等の固体撮像素子、画像を記憶するメモリ等を有している。そして、ユーザがシャッタスイッチを操作すると、固体撮像素子から被写体の画像が取り込まれて、メモリに書き込まれるように構成されている。
【先行技術文献】
【特許文献】
【０００３】
【特許文献１】特許第２６１０３８０号公報
【発明の概要】
【発明が解決しようとする課題】
【０００４】
しかしながらこのような腕時計タイプの撮像画像記録装置にあっては、一般的なカメラと異なり極めて小型であり、しかも、一方の腕に装着されて撮影されるものであって撮影時の使用形態も一般的なカメラとは異なり特殊である。このため操作に困難性が生じ、シャッタチャンスと思われる時点で適正にシャッタスイッチを操作することが困難となってしまう。その結果、瞬きをした際の人物画像を撮影記録してしまったり、シャッタスイッチの操作時に所謂手ブレが生じて、ブレの生じた不鮮明な画像を撮影記録してしまう場合が生ずるおそれがあった。
【０００５】
本発明は、このような従来の課題に鑑みてなされたものであり、瞬きした際の人物画像やブレの生じた不鮮明な画像等の不良な撮影記録を回避することのできる撮影画像記録装置を提供することを目的とするものである。
【課題を解決するための手段】
【０００６】
前記課題を解決するために、この発明は次の手段を備えている。なお、各構成要素に括弧してつけた数字等は対応する実施形態の図面参照符号である。
【０００７】
すなわち、請求項１記載の本発明にあっては、被写体を撮影する画像撮影手段（カメラ部１５）と、この画像撮影手段により撮影された被写体の画像を記録可能な撮影画像記録手段（ＲＡＭ２６）と、前記画像撮影手段により撮影される被写体の画像が目を瞑った状態にある画像か否かを検出する検出手段（ＣＰＵ２３）と、この検出手段により、前記被写体の画像が目を瞑っていない状態にある画像と検出された場合に、当該目を瞑っていない状態にある画像を被写体画像として前記撮影画像記録手段に記録させる画像記録制御手段（ＣＰＵ２３）とを備える。したがって、被写体となる人物や動物等が瞬きをして、目を瞑った状態の画像が撮影されたことが検出された場合には、当該目を瞑った状態の画像は被写体画像としては記録されない。しかし、瞬きをせず目を瞑った状態ではない画像が撮影されたことが検出された場合には、当該画像は被写体画像として記録され、よって瞬きをしていない画像のみが撮影画像記録手段に記録される。
【０００８】
また、請求項２記載の本発明にあっては、前記検出手段は、前記画像撮影手段により順次撮影される被写体画像における目の周囲の部分画像を比較することにより、前記被写体画像が目を瞑った状態にある画像か否かを検出するように構成されている。したがって、画像同士を比較する周知の画像処理技術を用いて容易に検出手段を達成することができるとともに、部分画像のみの比較であることから処理も容易となる。
【０００９】
また、請求項３記載の発明にあっては、腕に装着可能なリスト装置本体と、このリスト装置本体に設けられ撮影するカメラ部とを備えた撮影画像記録装置において、前記リスト装置本体の少なくとも２つの箇所に、中指用の位置決め部と、親指又は人差し指のいずれか一方の指用の位置決め部を設けるとともに、親指又は人差し指のいずれか他方の指で操作される撮影開始用のシャッタスイッチ部を設けてある。つまり、この撮影画像記録装置はリスト装置本体により一方の腕に装着するとともに、他方の腕の指でシャッタスイッチ部を操作することにより撮影を行う。このとき、他方の腕の指は、その中指を中指用の位置決め部にて位置決めし、親指又は人差し指のいずれか一方の指を一方の指用の位置決め部に位置決めし、親指又は人差し指のいずれか他方の指でシャッタスイッチ部を操作する。したがって、このシャッタスイッチ部の操作時には下記(1)及び(2)の状態となる。
(1)中指と親指、又は中指と人差し指の２本の指が予め位置決めされており、この位置決めされた状態で、親指と人差し指とで挟むようにして、シャッタスイッチ部が操作される。
(2)しかも、シャッタスイッチ部が操作される際には、中指を含む２本の指が位置決め部に接触し、かつ、親指と人差し指のいずれか一方がシャッタスイッチ部に接触した三点支持の状態となる。
【００１０】
したがって、この（１）及び（２）の状態でシャッタスイッチ部が操作されることにより、撮影画像記録装置が安定した状態で被写体画像の撮影がなされ、記録される被写体画像にブレが生ずることがない。
【００１１】
また、請求項４記載の発明にあっては、前記カメラ部を、前記リスト装置本体に対し上下方向に回動可能に設けてある。したがって、撮影画像記録装置が装着された腕を無理な角度に曲げずとも、カメラ部の角度を変化させれば、その正面に被写体を捕らえることができる。
【００１２】
また、請求項５記載の発明にあっては、前記リスト装置本体は回転自在な回転ベゼルを備え、この回転ベゼルの回転に伴って前記カメラ部を上下方向に回動する駆動機構を設けてある。したがって、回転ベゼルを回転させる操作により容易にカメラ部の角度を微調整することができる。
【００１３】
また、請求項６記載の発明にあっては、被写体を撮影する画像撮影手段（カメラ部１５）と、前記画像撮影手段により撮影された被写体画像のうち、目の周辺領域における現在撮影された画像と過去に撮影された画像とを比較し、この比較結果に基づいて、目を瞑っていない状態にある画像を検出しこの検出された画像を被写体画像として前記撮影画像記録手段（登録ＲＡＭ２６２）に記録させる画像記録制御手段（ＣＰＵ２３）と、を備える。
【００１４】
請求項６記載の発明によれば、瞬きをしていない画像のみを被写体の被写体画像として記録することができる。
【００１５】
また、請求項７記載の発明にあっては、腕に装着されるリスト装置本体（腕時計１）に設けられたカメラ部（１５）にて被写体を撮影しこの撮影された被写体に対応した被写体画像を記録する撮影画像記録装置において、前記リスト装置本体は、撮影者の中指が係止されて当該中指を位置決めるための第１の位置決め部（１４）と、親指又は人差し指のいずれか一方の指が係止されて当該親指又は人差し指を位置決めるための第２の位置決め部（８または１１）とを備えており、これら第１および第２の各位置決め部以外の他の部位に、前記第２の位置決め部にて位置決めされている親指又は人差し指のいずれか他方の指で操作される撮影開始用のシャッタスイッチ部（１２）を備えていることを特徴とする。
【００１６】
この請求項７記載の発明によれば、腕に装着されるリスト装置本体（腕時計１）に設けられたカメラ部（１５）にて被写体を撮影する際に、この撮影された被写体に対応した被写体画像を記録する撮影画像記録装置において、前記リスト装置本体に備えられた第１の位置決め部（１４）を撮影者の中指で係止して位置決めし、かつ、第２の位置決め部（８または１１）を、親指又は人差し指のいずれか一方の指にて係止して位置決めした状態のもとで、これら第１および第２の各位置決め部以外の他の部位に設けられている撮影開始用のシャッタスイッチ部（１２）を、前記第２の位置決め部にて位置決めされている親指又は人差し指のいずれか他方の指で操作することができ、安定した撮影を確実に行うことができる。
【００１７】
また、請求項８記載の発明にあっては、前記リスト装置本体は、撮影者の腕に装着されるバンド（３、４）を備えた腕時計本体（２）であり、前記第１の位置決め部は、撮影者の腕に装着された前記バンドのうち、撮影者側に位置するバンド部裏面に形成されており、前記第２の位置決め部は、前記腕時計本体の７時または８時の位置に形成されており、前記撮影開始用のシャッタスイッチ部は、前記腕時計本体の１時または２時の位置に形成されている。
【００１８】
この請求項７記載の発明によれば、前述した(1)及び(2)の状態が形成されて、撮影画像記録装置が安定した状態で被写体画像の撮影がなされる。
【００１９】
また、請求項９記載の発明にあっては、腕に装着されるリスト装置本体（腕時計１）に設けられたカメラ部（１５）にて被写体を撮影しこの撮影された被写体に対応した被写体画像を記録する撮影画像記録装置において、前記リスト装置本体に対し前記カメラ部を上下方向に回動可能に設けたことを特徴とする。
【００２０】
この請求項９記載の発明によれば、腕に装着されるリスト装置本体に設けられたカメラ部にて被写体を撮影する際、リスト装置本体に対しカメラ部を上下方向に回動して被写体の的確な位置に向いたカメラ部にて対応した被写体画像を記録することができる。
【発明の効果】
【００２１】
以上説明したように本発明は、撮影される被写体画像が目を瞑った状態にある画像か否かを検出し、目を瞑った状態ではない画像が撮影されたことが検出された場合に、当該目を瞑った状態ではない画像を被写体画像として記録するようにしたことから、瞬きをした状態の不良な画像の記録を回避して、良好な被写体画像のみを記録することができる。
【００２２】
また、順次撮影される被写体画像における目の周囲の部分画像を比較することにより、撮影された画像が目を瞑った状態にある画像か否かを検出するようにしたことから、周知の画像処理技術を用いて容易に検出を行うことができるとともに、検出処理も容易に行うことができる。
【００２３】
また、リスト装置本体の少なくとも２つの箇所に、中指用の位置決め部と、親指又は人差し指のいずれか一方の指用の位置決め部を設けるとともに、親指又は人差し指のいずれか他方の指で操作される撮影開始用のシャッタスイッチ部を設けるようにしたことから、シャッタスイッチ部を安定した状態で操作することができる。これにより、ブレが生じた不良な被写体画像の記録を回避して、良好な被写体画像を安定した状態で記録することができる。
【００２４】
また、カメラ部をリスト装置本体に対し上下方向に回動可能に設けるようにしたことから、撮影に際して腕を無理な角度に曲げずとも、カメラ部の角度を変化させることにより、その正面に被写体を捕らえること可能となる。
【００２５】
また、回転ベゼルの回転に伴ってカメラ部を上下方向に回動させるようにしたことから、容易にカメラ部の角度の調整及び微調整を行うことができる。
【００２６】
また、別な発明によれば、撮影された被写体画像のうち、目の周辺領域における現在撮影された画像と過去に撮影された画像とを比較し、この比較結果に基づいて、目を瞑っていない状態にある画像を検出しこの検出された画像を被写体画像として撮影画像記録手段に記録させるようにしているので、瞬きをしていない画像のみを被写体の被写体画像として記録することができる。
【００２７】
また、別なによれば、腕に装着されるリスト装置本体に設けられたカメラ部にて被写体を撮影する際に、リスト装置本体に備えられた第１の位置決め部を撮影者の中指で係止して位置決めし、かつ、第２の位置決め部を、親指又は人差し指のいずれか一方の指にて係止して位置決めした状態のもとで、これら第１および第２の各位置決め部以外の他の部位に設けられている撮影開始用のシャッタスイッチ部を、前記第２の位置決め部にて位置決めされている親指又は人差し指のいずれか他方の指で操作することができ、安定した撮影を確実に行うことができる。
【００２８】
また、別な発明によれば、腕に装着されるリスト装置本体に設けられたカメラ部にて被写体を撮影する際、リスト装置本体に対しカメラ部を上下方向に回動して被写体の的確な位置に向いたカメラ部にて対応した被写体画像を記録することができる。
【図面の簡単な説明】
【００２９】
【図１】本発明の一実施の形態の使用状態を示す図である。
【図２】同実施の形態の右側面図である。
【図３】同実施の形態の一部破断右側面図である。
【図４】回動ピンによるカメラ部の回動状態を示す説明図である。
【図５】同実施の形態の全体ブロック図である。
【図６】ＣＰＵの処理手順を示すフローチャートである。
【図７】表示例を示す図である。
【図８】両目の開閉状態と撮影画像の取り込みとの関係を示す説明図である。
【図９】手動操作によるカメラ部の回動状態を示す説明図である。
【図１０】本発明の他の実施の形態の使用状態を示す図である。
【発明を実施するための形態】
【００３０】
以下、本発明の実施の形態を図に従って説明する。図１及び図２に示すように、本発明の一実施の形態を適用した腕時計１は、時計本体を構成している時計ケース２とこの時計ケース２の側面であって相対向する上下端部に係着された一対のバンド３、４とで構成されている。時計ケース２の裏面には裏蓋５が装着されており、側面であって相対向する左右端部には、各々左第１凸部５と右第１凸部６が形成されている。左第１凸部５の近傍であって一方のバンド４寄りには、左第２凸部７が形成されている。そして、これら左第１及び第２凸部５、７間に、親指Ｆ１の腹部分を挿入可能な親指位置決め凹部８が形成されており、この親指位置決め凹部８には押圧されてオンとなる両目合わせスイッチ９が配置されている。また、右第１凸部６の近傍であって他方のバンド３寄りには、右第２凸部１０が形成されている。そして、これら右第１及び第２凸部６、１０間に人差し指Ｆ３の先端側部を挿入可能な人差し指位置決め凹部１１が形成されており、この人差し指位置決め凹部１１には押圧されてオンとなるシャッタスイッチ１２が配置されている。
【００３１】
本実施の形態では、親指位置決め凹部８は、時計の７時または８時の位置に、また、人差し指位置決め凹部１１は、時計の１時または２時の位置に形成されているが、これら凹部８、１１を、これ以外の他の位置に形成するようにしても良い。
【００３２】
さらに、一方のバンド４の係着基部であって表面側には、後述するように時刻表示モード、撮影表示モードの切り替えスイッチを兼用するＯＫスイッチ１３が配置されており、裏面側には中指位置決め凹部１４が形成されている。この中指位置決め凹部１４は、中指Ｆ２の先端形状に略合致する形状の凹部からなる。
【００３３】
また、他方のバンド３の係着基部にはカメラ部１５が配設されている。このカメラ部１５は、電子カメラであって、前面に配置された撮影レンズと内部に配置されこの撮影レンズからの被写体画像が結像される固体撮像素子等とで構成されている。図３に示すように、カメラ部１５は断面略矩形であって、その中心部に挿通された回動軸部１６により、時計ケース２に回動自在に支持されている。したがって、カメラ部１５は回動軸部１６を中心に上下方向（図２及び図４矢印Ｄ参照）に回動自在であり、図４に示すように、その背面１５ａには斜状のガイド溝部１７が形成されている。
【００３４】
他方、時計ケース２の表面中央部には、平面視において円形の隆起部１８が形成されており、隆起部１８の上面には液晶からなる表示部１９が配設されている。また、隆起部１８の周部には、リング状の回転ベゼル２０が回転自在に嵌合されている。この回転ベゼル２０の外周面には、回転操作時における滑り止め用の凹凸部２１が全周に亙って形成されているとともに、側方に突出する回動ピン２２が一体的に形成されいる。回動ピン２２は、図３及び図４に示すように、前記ガイド溝部１７に遊挿されており、したがって、回転ベゼル２０を左右方向に回転させると、回動ピン２２のガイド溝部１７に対する上下位置が相対的に変化し、これによりカメラ部１５が回動軸部１６を中心に時計ケース２に対して上下方向（矢印Ｄ方向）に回動するように構成されている。
【００３５】
無論、図示した構造に限らず、ラック・ピニオン構造により、回転ベゼル２０とカメラ部１５とに連動関係を持たせて、カメラ部１５を時計ケース２に対して上下方向に回動する構成としてもよく、また、図９に示すように、両者に連動関係を持たせることなく、手動操作によりカメラ部１５を回動軸部１６を中心に時計ケース２に対して上下方向に回動させる構成としてもよい。
【００３６】
図５は、時計ケース２内に配置されている腕時計１の回路構成を示すものである。図に示すように、ＣＰＵ２３には、前記両目合わせスイッチ９、シャッタスイッチ１２、ＯＫスイッチ１３、カメラ部１５が接続されているとともに、表示駆動回路２４、ＲＯＭ２５、ＲＡＭ２６、及び時計部２７が接続されている。ＣＰＵ２３は、ＲＯＭ２５に格納されているプログラムに従って処理を実行することにより、各部を制御するものである。表示駆動回路２４は、前記表示部１９を駆動することにより、時計部２７により計時される時刻やカメラ部１５により撮影される被写体画像を表示させるものである。
【００３７】
ＲＯＭ２５には、前記プログラムを格納するエリアとともに、後述するメッセージを格納しているメッセージ格納エリア２５１、及び丸の中にアルファベット「Ａ」が付されたマルエーマーク２５ａと、丸の中にアルファベット「Ｂ」が付されたマルビーマーク２５ｂの画像データを記憶しているマーク格納エリア２５２とが設けられている。ＲＡＭ２６は、ＣＰＵ２３のワークエリアとして使用されるとともに、カメラ部１５により撮影した画像を順次１枚ずつ別な記録エリアに格納する画像ＲＡＭ２６１と、この画像ＲＡＭ２６１に格納された人物や動物の画像のうち、目を瞑らない際の撮影画像のみを被写体画像として格納する登録ＲＡＭ２６２とが設けられている。
【００３８】
以上の構成にかかる本実施の形態において、この腕時計１は図１に示したように、バンド３、４によりユーザの左腕ＬＡに装着して使用される。この使用状態において、ＣＰＵ２３はプログラムに基づき、図６に示すフローチャートに従って目瞑り撮影防止処理を実行する。すなわち、ＯＫスイッチ１３で兼用されている撮影モード・スイッチがオンとなったか否かを判断し（ステップＳ１）、撮影モード・スイッチがオン操作されず時刻モードが設定されているならば、時計部２７から現在時刻データを取得して表示駆動回路２４を駆動し、表示部１９に現在時刻を表示させる（ステップＳ２）。したがって、撮影モードが設定されずに時刻モードが設定されている状態においては、表示部１９には現在時刻が表示されており、通常の腕時計として機能する。
【００３９】
そして、ユーザが右手のいずれかの指でＯＫスイッチ１３を押圧して、撮影モードを設定すると、撮影対象物（人間、動物）の撮影画像を設定時間毎（例えば１秒間に５枚）に取り込んで、画像ＲＡＭ２６１に格納するとともに、表示部１９に表示させる（ステップＳ３）。すなわち、ユーザは予めカメラ部１５を例えば被写体となる人物に向けた状態とし、かつ、回転ベゼル２０を回転操作することにより、カメラ部１５の延長線上に当該人物が位置するように、上下回動角を調整しておく。この状態で、ＯＫスイッチ１３を操作すると、前述のようにステップＳ３の処理が実行されて、カメラ部１５で撮影された画像が画像ＲＡＭ２６１に記憶されるとともに表示部１９に表示される。
【００４０】
次に、両目にマルエーマーク２５ａとマルビーマーク２５ｂを合わせる催促表示処理を実行する（ステップＳ４）。このステップＳ４の処理は、図７（Ａ）に例示した画面を表示部１９に表示させる処理である。すなわち、表示部１９の上部には、前記メッセージ格納エリア２５１からメッセージデータを読み出して、催促内容を示すメッセージＭを表示するとともに、その下部に撮影した人物の顔画像Ｐを表示させる。さらに、この顔画像Ｐにおける右目ＲＩと左目ＬＩの外側に、各々マルエーマーク２５ａとマルビーマーク２５ｂとを表示させる。
【００４１】
次に、両目ＲＩ、ＬＩにマルエーマーク２５ａとマルビーマーク２５ｂを合わせるための両目合わせスイッチ９がオンとなったか否かを判断する（ステップＳ５）。このとき、図１に示すように、ユーザは右手の中指Ｆ２を中指位置決め凹部１４に挿入し、親指Ｆ１を親指位置決め凹部８に合致させ、かつ、人差し指Ｆ３を人差し指位置決め凹部１１に合致させた状態にしておく。この状態で、親指Ｆ１の腹で押圧することにより、両目合わせスイッチ９を操作する。すると、ステップＳ６の処理が実行されて、両目合わせスイッチ９の操作に応じてマルエーマーク２５ａとマルビーマーク２５ｂとが左右方向に移動する。
【００４２】
そして、図７（Ｂ）に示すように、マルエーマーク２５ａとマルビーマーク２５ｂとが顔画像Ｐの両目ＲＩ、ＬＩに合致したならば、両目合わせスイッチ９の操作をやめる。これにより、ステップＳ５の判断がＮＯとなって、ステップＳ７に進みシャッタスイッチ１２が操作されるまで待機する。または両目合わせスイッチ９の操作をやめたから予め定まられた時間が経過するまで待機する。したがって、図１に示した状態で、次に人差し指Ｆ３によりシャッタスイッチ１２を操作すると、ステップＳ８の処理が実行され、この操作の際に画像ＲＡＭ２６１に取り込み記録された撮影画像（現在画像）と、順次例えば１秒間に５枚ずつ画像ＲＡＭ２６１に順次別な記録エリアに取り込み記録撮影画像（過去画像１、２・・・ｎ）とをマルエーマーク２５ａとマルビーマーク２５ｂの領域において比較する。
【００４３】
つまり、図８に「例１」として示したように、画像ＲＡＭ２６１には撮影モードスイッチが操作されてから順次取り込まれた「過去１、２・・・ｎ」の過去画像と、今取り込まれた「現在」画像とが記憶される。そこで、ステップＳ８では、今取り込まれた「現在」画像と、既に取り込まれた「過去１、２・・・ｎ」の画像とを、両目ＲＩ、ＬＩに対応するマルエーマーク２５ａとマルビーマーク２５ｂの領域において比較する。
【００４４】
しかる後に、現在画像、過去画像が設定時間（瞬きを行うに要する時間）以上、変化しない画像を検索して、表示する（ステップＳ９）。つまり、図８に示した「例１」の場合、「過去Ｎ」から「過去１０」までは、被写体の人物が瞬きを行うことなく、マルエーマーク２５ａとマルビーマーク２５ｂの領域において、設定時間以上変化しない画像の不変化区間である。また、「過去１０」から「過去１」までは、被写体の人物が瞬きを行い、マルエーマーク２５ａとマルビーマーク２５ｂの領域において画像が変化した、画像の変化区間である。さらに、「過去１」から「現在」までは、被写体の人物が瞬きを行うことなく、マルエーマーク２５ａとマルビーマーク２５ｂの領域において変化しない画像の不変化区間ではあるが、現時点では設定時間以上変化しない画像であるか否かは不明である。したがって、「例１」の場合、ステップＳ９の条件を満たすのは、「過去ｎ」から「過去１０」までの画像であり、これら画像が検索されて表示部１９に表示されることとなる。
【００４５】
また、図８に示した「例２」の場合、「過去ｎ」から「過去５」までは、被写体の人物が瞬きを行うことなく、マルエーマーク２５ａとマルビーマーク２５ｂの領域において、設定時間以上変化しない画像の不変化区間である。また、「過去５」から「現在」までは、被写体の人物が瞬きを行い、マルエーマーク２５ａとマルビーマーク２５ｂの領域において画像が変化した、画像の変化区間である。したがって、「例２」の場合、ステップＳ９の条件を満たすのは、「過去ｎ」から「過去５」までの画像であり、これら画像が検索されて表示部１９に表示されることとなる。
【００４６】
また、これら画像の表示はＯＫスイッチ１３が操作されるまで継続し（ステップＳ１０）、ＯＫスイッチ１３が操作されたならば、不変化区間の画像を登録ＲＡＭ２６２に格納する（ステップＳ１１）。これにより、登録ＲＡＭ２６２には、被写体の人物画像であって目を瞑らない際の撮影画像のみが被写体画像として記録されることとなる。
【００４７】
なお、この実施の態様では、ＯＫスイッチ１３の操作を条件に、目を瞑らない際の撮影画像のみを被写体画像として登録ＲＡＭ２６２に記録しているが、ＯＫスイッチ１３の操作がなくとも、予め定まられた時間が経過したことを条件に、目を瞑らない際の撮影画像のみを被写体画像として自動的に登録ＲＡＭ２６２に記録するようにしても良い。
【００４８】
しかも、前記シャッタスイッチ１２を操作する際には、右手は下記(1)及び(2)の状態となる。
(1)親指Ｆ１と中指Ｆ２との、２本の指が予め位置決め凹部８、１４に位置決めされており、この位置決めされた状態で、親指Ｆ１と人差し指Ｆ３とで挟むようにして、人差し指Ｆ３にてシャッタスイッチ１２が操作される。
(2)しかも、シャッタスイッチ１２が操作される際には、親指Ｆ１、中指Ｆ２、人差し指Ｆ３が、各々位置決め凹部８、１１、１４に接触した三点支持の状態となる。
【００４９】
したがって、この(1)及び(2)の状態でシャッタスイッチ１２が操作されることにより、安定した状態で被写体画像の撮影がなされ、画像ＲＡＭ２６１及び登録ＲＡＭ２６２にブレのない撮影画像を記録することができる。
【００５０】
なお、本実施の形態においては、シャッタスイッチ１２を人差し指位置決め凹部１１に設け、かつ、両目合わせスイッチ９を親指位置決め凹部９に設けるようにしたが、図１０に示すように、シャッタスイッチ１２を親指位置決め凹部８に設け、この親指位置決め凹部８に設けられたシャッタスイッチ１２を親指Ｆ１にて操作するようにし、かつ、両目合わせスイッチ９を人差し指位置決め凹部１１に設け、この両目合わせスイッチ９を人差し指Ｆ３で操作するようにしてもよい。
【００５１】
また、この実施の形態においては、図６のフローチャートに示した処理を撮影機能を有するリスト装置本体としての腕時計の時計ケース内で実行するものとしたが、時計機能を備えていない通常のデジタルカメラ部をリスト装置本体に設け、このリスト装置本体内部においても同様の処理を行うことにより、同様の作用効果を奏することができる。
【００５２】
また、本実施の形態とは異なり、図８に示すように、両目の右目２５ａ、左目２５ｂが同時に瞬きを行うことに着目し、マルエーマーク２５ａとマルビーマーク２５ｂの領域にある画像が同時に変化したことを検出したことも前述した図８に示すフローチャートに加味して、更に、目を瞑ったか否かを高精度に検出するようにしても良い。
【符号の説明】
【００５３】
１  腕時計
２  時計ケース
５  左第１凸部
６  右第１凸部
７  左第２凸部
８  親指位置決め凹部
９  両目合わせスイッチ
１０  右第２凸部
１１  人差し指位置決め凹部
１２  シャッタスイッチ
１３  ＯＫスイッチ
１４  中指位置決め凹部
１５  カメラ部
２０  回転ベゼル
２３  ＣＰＵ
２６１  画像ＲＡＭ
２６２  登録ＲＡＭ
【図１】
2011109696.tif 000003
【図２】
2011109696.tif 000004
【図３】
2011109696.tif 000005
【図４】
2011109696.tif 000006
【図５】
2011109696.tif 000007
【図６】
2011109696.tif 000008
【図７】
2011109696.tif 000009
【図８】
2011109696.tif 000010
【図９】
2011109696.tif 000011
【図１０】
2011109696.tif 000012
【手続補正書】
【提出日】平成23年2月8日(2011.2.8)
【手続補正２】
【補正対象書類名】明細書
【補正対象項目名】０００１
【補正方法】変更
【補正の内容】
【０００１】
本発明は、被写体画像を撮影して記録する撮影画像記録装置および撮影画像記録制御方法に関する。
【手続補正３】
【補正対象書類名】明細書
【補正対象項目名】０００５
【補正方法】変更
【補正の内容】
【０００５】
本発明は、このような従来の課題に鑑みてなされたものであり、両目を瞬きした際の人物画像等の不良な撮影記録を回避して、両目を瞑らない際の良好な撮影画像のみを記録することができる撮影画像記録装置および撮影画像記録制御方法を提供することを目的とするものである。
【手続補正４】
【補正対象書類名】明細書
【補正対象項目名】０００７
【補正方法】変更
【補正の内容】
【０００７】
すなわち、請求項１記載の本発明に係る撮影画像記録装置は、
画像撮影部（カメラ部１５）および画像記録部（ＲＡＭ２６；画像ＲＡＭ２６１、登録ＲＡＭ２６２、段落［００３７］）を備えている撮影画像記録装置において、
前記画像撮影部により連続して撮影された複数枚の撮影画像を前記画像記録部に記録させる第１の画像記録制御手段［ＣＰＵ２３；Ｓ３；段落［００４２］）と、
この第１の記録制御手段の制御により前記画像記録部に記録された複数枚の撮影画像の中に両目を瞑らない際の撮影画像があるか否かを検出する検出手段（ＣＰＵ２３；Ｓ９；段落［００５２］）と、
この検出手段により前記複数枚の撮影画像の中に両目を瞑らない際の撮影画像がありと検出された際は、当該瞑らない際の撮影画像のみを前記画像記録部に記録させる第２の画像記録制御手段（ＣＰＵ２３；Ｓ１１；段落［００４６］・［００４７］）と、
を備えることを特徴とする。
請求項１記載の本発明によれば、連続して撮影された複数枚の撮影画像を画像記録部に記録させ、この画像記録部に記録された複数枚の撮影画像の中に両目を瞑らない際の撮影画像があるか否かを検出し、この複数枚の撮影画像の中に両目を瞑らない際の撮影画像がありと検出された際は、当該瞑らない際の撮影画像のみを画像記録部に記録させることができる。したがって、被写体となる人物や動物等が瞬きをして、目を瞑った状態の画像が撮影されたことが検出された場合には、当該目を瞑った状態の画像は被写体画像としては記録されない。しかし、瞬きをせず目を瞑った状態ではない画像が撮影されたことが検出された場合には、当該画像は被写体画像として記録され、よって瞬きをしていない画像のみを画像記録部に記録させることができる。
【手続補正５】
【補正対象書類名】明細書
【補正対象項目名】０００８
【補正方法】変更
【補正の内容】
【０００８】
また、請求項２記載の発明に係る撮影画像記録装置は、請求項１に記載の撮影画像記録装置において、
前記検出手段は、前記画像撮影部により撮影された撮影画像内における被写体の両目の部分が同時に変化したか否かを検出することにより、前記両目を瞑らない際の撮影画像があるか否かを検出する瞬き検出手段（ＣＰＵ２３；段落［００５２］）を備えていることを特徴とする。
【手続補正６】
【補正対象書類名】明細書
【補正対象項目名】０００９
【補正方法】変更
【補正の内容】
【０００９】
また、請求項３記載の発明に係る撮影画像記録装置は、請求項１に記載の撮影画像記録装置において、
前記第２の画像記録制御手段は、前記検出手段により前記複数枚の撮影画像の中に両目を瞑らない際の撮影画像がありと検出された際は、当該瞑らない際の撮影画像を予め定められている時間が経過したことを条件に、前記画像記録部に自動的に記録させる画像制御手段（ＣＰＵ２３；Ｓ９；段落［００４７］）を備えることを特徴とする。
【手続補正７】
【補正対象書類名】明細書
【補正対象項目名】００１０
【補正方法】変更
【補正の内容】
【００１０】
また、請求項４記載の発明に係る撮影画像記録装置は、
前記第２の画像記録制御手段は、前記検出手段により前記複数枚の撮影画像の中に両目を瞑らない際の撮影画像がありと検出された際は、当該瞑らない際の撮影画像を予め定められているスイッチの操作がなされたことを条件に、前記画像記録部に記録させる画像制御手段（ＣＰＵ２３；Ｓ９；段落［００４６］）を備えることを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
また、請求項５記載の発明に係る撮影画像記録制御方法は、
画像撮影部（カメラ部１５）および画像記録部（ＲＡＭ２６；画像ＲＡＭ２６１、登録ＲＡＭ２６２、段落［００３７］）を備えている撮影画像記録装置に用いられる撮影画像記録制御方法において、
前記画像撮影部により連続して撮影された複数枚の撮影画像を前記画像記録部に記録させる第１の画像記録制御ステップ（Ｓ３；段落［００４３］）と、
この第１の記録制御ステップの制御により前記画像記録部に記録された複数枚の撮影画像の中に両目を瞑らない際の撮影画像があるか否かを検出する検出ステップ（Ｓ９；段落［００５２］）と、
この検出ステップにより前記複数枚の撮影画像の中に両目を瞑らない際の撮影画像がありと検出された際は、当該瞑らない際の撮影画像のみを前記画像記録部に記録させる第２の画像記録制御ステップ（Ｓ１１；段落［００４６］ ［００４７］）と、
を備えることを特徴とする。
【手続補正１１】
【補正対象書類名】明細書
【補正対象項目名】００１４
【補正方法】変更
【補正の内容】
【００１４】
請求項５記載の発明によれば、請求項１記載の発明の場合と同様、瞬きをしていない撮影画像のみを被写体の被写体画像として記録することができる。
【手続補正１２】
【補正対象書類名】明細書
【補正対象項目名】００１５
【補正方法】変更
【補正の内容】
【００１５】
また、請求項６記載の発明に係る撮影画像記録制御方法は、請求項５に記載の撮影画像記録制御方法において、
前記検出ステップは、前記画像撮影部により撮影された撮影画像内における被写体の両目の部分が同時に変化したか否かを検出することにより、前記両目を瞑らない際の撮影画像があるか否かを検出する瞬き検出ステップ（Ｓ９；段落［００５２］を備えていることを特徴とする。
【手続補正１３】
【補正対象書類名】明細書
【補正対象項目名】００１６
【補正方法】変更
【補正の内容】
【００１６】
また、請求項７記載の発明に係る撮影画像記録制御方法は、請求項５に記載の撮影画像記録制御方法において、
前記第２の画像記録制御ステップは、前記検出ステップにより前記複数枚の撮影画像の中に両目を瞑らない際の撮影画像がありと検出された際は、当該瞑らない際の撮影画像を予め定められている時間が経過したことを条件に、前記画像記録部に自動的に記録させる画像制御ステップ（Ｓ９、Ｓ１１；段落［００４７］）を備えることを特徴とする。
【手続補正１４】
【補正対象書類名】明細書
【補正対象項目名】００１７
【補正方法】変更
【補正の内容】
【００１７】
また、請求項８記載の発明に係る撮影画像記録制御方法は、請求項５に記載の撮影画像記録制御方法において、
前記第２の画像記録制御ステップは、前記検出ステップにより前記複数枚の撮影画像の中に両目を瞑らない際の撮影画像がありと検出された際は、当該瞑らない際の撮影画像を予め定められているスイッチの操作がなされたことを条件に、前記画像記録部に記録させる画像制御ステップ（Ｓ９、Ｓ１１；段落［００４６］）を備えることを特徴とする。
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】変更
【補正の内容】
【００２１】
以上説明したように本発明によれば、連続して撮影された複数枚の撮影画像を画像記録部に記録させ、この画像記録部に記録された複数枚の撮影画像の中に両目を瞑らない際の撮影画像があるか否かを検出し、この複数枚の撮影画像の中に両目を瞑らない際の撮影画像がありと検出された際は、当該瞑らない際の撮影画像のみを画像記録部に記録させることができる。したがって、瞬きをした状態の不良な画像の記録を回避して、良好な被写体画像のみを記録することができる。
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００５２
【補正方法】変更
【補正の内容】
【００５２】
また、本実施の形態とは異なり、図８に示すように、両目の右目２５ａ、左目２５ｂが同時に瞬きを行うことに着目し、マルエーマーク２５ａとマルビーマーク２５ｂの領域にある画像が同時に変化したことを検出したことも前述した図６に示すフローチャートに加味して、更に、目を瞑ったか否かを高精度に検出するようにしても良い。
【手続補正２７】
【補正対象書類名】特許請求の範囲
【補正対象項目名】全文
【補正方法】変更
【補正の内容】
【特許請求の範囲】
【請求項１】
画像撮影部および画像記録部を備えている撮影画像記録装置において、
前記画像撮影部により連続して撮影された複数枚の撮影画像を前記画像記録部に記録させる第１の画像記録制御手段と、
この第１の記録制御手段の制御により前記画像記録部に記録された複数枚の撮影画像の中に両目を瞑らない際の撮影画像があるか否かを検出する検出手段と、
この検出手段により前記複数枚の撮影画像の中に両目を瞑らない際の撮影画像がありと検出された際は、当該瞑らない際の撮影画像のみを前記画像記録部に記録させる第２の画像記録制御手段と、
を備えることを特徴とする撮影画像記録装置。
【請求項２】
前記検出手段は、前記画像撮影部により撮影された撮影画像内における被写体の両目の部分が同時に変化したか否かを検出することにより、前記両目を瞑らない際の撮影画像があるか否かを検出する瞬き検出手段を備えていることを特徴とする請求項１記載の撮影画像記録装置。
【請求項３】
前記第２の画像記録制御手段は、前記検出手段により前記複数枚の撮影画像の中に両目を瞑らない際の撮影画像がありと検出された際は、当該瞑らない際の撮影画像を予め定められている時間が経過したことを条件に、前記画像記録部に自動的に記録させる画像制御手段を備えることを特徴とする請求項１記載の撮影画像記録装置。
【請求項４】
前記第２の画像記録制御手段は、前記検出手段により前記複数枚の撮影画像の中に両目を瞑らない際の撮影画像がありと検出された際は、当該瞑らない際の撮影画像を予め定められているスイッチの操作がなされたことを条件に、前記画像記録部に記録させる画像制御手段を備えることを特徴とする請求項１記載の撮影画像記録装置。
【請求項５】
画像撮影部および画像記録部を備えている撮影画像記録装置に用いられる撮影画像記録制御方法において、
前記画像撮影部により連続して撮影された複数枚の撮影画像を前記画像記録部に記録させる第１の画像記録制御ステップと、
この第１の記録制御ステップの制御により前記画像記録部に記録された複数枚の撮影画像の中に両目を瞑らない際の撮影画像があるか否かを検出する検出ステップと、
この検出ステップにより前記複数枚の撮影画像の中に両目を瞑らない際の撮影画像がありと検出された際は、当該瞑らない際の撮影画像のみを前記画像記録部に記録させる第２の画像記録制御ステップと、
を備えることを特徴とする撮影画像記録制御方法。
【請求項６】
前記検出ステップは、前記画像撮影部により撮影された撮影画像内における被写体の両目の部分が同時に変化したか否かを検出することにより、前記両目を瞑らない際の撮影画像があるか否かを検出する瞬き検出ステップを備えていることを特徴とする請求項５に記載の撮影画像記録制御方法。
【請求項７】
前記第２の画像記録制御ステップは、前記検出ステップにより前記複数枚の撮影画像の中に両目を瞑らない際の撮影画像がありと検出された際は、当該瞑らない際の撮影画像を予め定められている時間が経過したことを条件に、前記画像記録部に自動的に記録させる画像制御ステップを備えることを特徴とする請求項５に記載の撮影画像記録制御方法。
【請求項８】
前記第２の画像記録制御ステップは、前記検出ステップにより前記複数枚の撮影画像の中に両目を瞑らない際の撮影画像がありと検出された際は、当該瞑らない際の撮影画像を予め定められているスイッチの操作がなされたことを条件に、前記画像記録部に記録させる画像制御ステップを備えることを特徴とする請求項５に記載の撮影画像記録制御方法。